(57)【特許請求の範囲】
【請求項１】
背面側に扉ポケットが設けられ、左右方向の一方の側がヒンジにより冷蔵庫本体に回動可能に取付けられて、前記冷蔵庫本体の前面開口部を開閉する扉を有し、
前記扉ポケットに区画仕切り部材を設け、該区画仕切り部材の前記ヒンジ側にヒンジ側収納空間、その反対側に前面側収納空間及び背面側収納空間を形成し、
前記区画仕切り部材を左右仕切り板と前後仕切り板とによりほぼＴ字状に形成し、前記左右仕切り板を前記扉ポケットの左右方向の中央部近傍の前後方向に位置させて前記区画仕切り部材を前記扉ポケットに固定し、前記左右仕切り板のヒンジ側にヒンジ側収納空間を形成し、前記前後仕切り板の前面側に前面側収納空間を形成すると共に、背面側に背面側収納空間を形成したことを特徴とする冷蔵庫。
【請求項２】
背面側に扉ポケットが設けられ、左右方向の一方の側がヒンジにより冷蔵庫本体に回動可能に取付けられて、前記冷蔵庫本体の前面開口部を開閉する扉を有し、
前記扉ポケットに区画仕切り部材を設け、該区画仕切り部材の前記ヒンジ側にヒンジ側収納空間、その反対側に前面側収納空間及び背面側収納空間を形成し、
前記区画仕切り部材を左右仕切り板と前後仕切り板とによりほぼＬ字状に形成し、前記左右仕切り板を前記扉ポケットの左右方向の中央部近傍の前後方向でかつ前面側に位置させて前記区画仕切り部材を前記扉ポケットに固定し、前記左右仕切り板のヒンジ側にヒンジ側収納空間を形成し、前記前後仕切り板の前面側に前面側収納空間を形成すると共に、背面側に背面側収納空間を形成したことを特徴とする冷蔵庫。
【請求項３】
前記ヒンジ側収納空間に２本の大形ペットボトルを縦置きに横方向に並べて収納し、前記前面側収納空間に牛乳パックを収納しうるように構成したことを特徴とする請求項１または２に記載の冷蔵庫。
【発明の詳細な説明】
【技術分野】
【０００１】
本発明は、冷蔵庫に係り、より詳しくは、冷蔵庫の扉ポケットに関するものである。
【背景技術】
【０００２】
図６は一般的な家庭用冷蔵庫の扉を開いた状態を示す斜視図である。
図において、１は冷蔵庫本体で、上から順に前面側が開口された扉式の冷蔵室２、引出し式の上部冷凍室３、下部冷凍室４及び野菜室５が設けられている。１０は冷蔵室２の扉である。なお、６は上部冷凍室３の扉、７は下部冷凍室４の扉、８は野菜室５の扉である。
【０００３】
冷蔵室２の扉１０は、前面パネル１１、その背面側に設けた内板１２及び両者の間に充填された断熱材（図示せず）からなり、ヒンジ１４により、冷蔵庫本体１に冷蔵室２の前面開口部を開閉自在に取付けられている。そして、扉１０の内板１２の背面側の上下方向には、１個又は複数（図には、３個の場合が示してある）の扉ポケット１５ａ，１５ｂ，１５ｃ（以下の説明では、１個又は複数個の場合を含めて、扉ポケットを符号１５で示す）が一体に設けられている。
【０００４】
一般に、冷凍庫の扉ポケットは、扉内板への取付構造上、ポケットの一部を扉内板へ嵌合させる必要があり、そのため、ポケット側面の内壁は必ずしも扉内板と垂直にはならず、また、扉取っ手側のポケット側壁は扉開閉時の軌跡上、製品箱体に当らないように側壁に曲面を持たせなければならない。このため、特に重量の重い大形ペットボトル等の収納においては、扉開閉時の遠心力による扉ポケット内の収納物の移動を、ポケット側面内壁で安定して受けることができず、収納物が転倒したり、扉ポケット内の他の収納物が散乱したりするなどの問題点があった。
【０００５】
従来の冷蔵庫の扉ポケットに、ポケット内部を前後２つの収納部に区画する仕切り板を設けると共に、この仕切り板の一方の側をヒンジを介して回動させることにより、ポケット内の後部収納部を左右に区画するようにしたものがある（例えば、特許文献１参照）。
【先行技術文献】
【特許文献】
【０００６】
【特許文献１】特開２０００−９３７９号公報（第２−３頁、図１−２）
【発明の概要】
【発明が解決しようとする課題】
【０００７】
特許文献１の扉ポケットは、ポケットの内部を２つの収納部に区画し、かつ一方の側を回動可能とした仕切り板を設けたものであるが、収納物の収納場所を具体的に特定したものではなく、単に収納性の改善を目的とする整理用の仕切り板を設けたにすぎない。このため、扉開閉時の遠心力による扉ポケット内の収納物の移動をポケット側内壁が安定して受けることができず、依然としてポケット収納物が転倒したり、他のポケット収納物が散乱したりするのを防止することができなかった。
【０００８】
本発明は、上記の課題を解決するためになされたもので、扉ポケットへの収納物の中でも収納頻度の高い例えば２リットル入り角形ペットボトル（以下、大形ペットボトルという）や、１リットル入り牛乳（飲料水等）パック（以下、牛乳パックという）などを、扉ポケット内に設けた仕切り部材によって形成された収納空間にそれぞれ収納することにより、扉の開閉時において収納物が転倒したり移動したりすることのない、安定性、整理性にすぐれた扉ポケットを備えた冷蔵庫を提供することを目的としたものである。
【課題を解決するための手段】
【０００９】
本発明に係る冷蔵庫は、背面側に扉ポケットが設けられ、左右方向の一方の側がヒンジにより冷蔵庫本体に回動可能に取付けられて、前記冷蔵庫本体の前面開口部を開閉する扉を有し、前記扉ポケットに区画仕切り部材を設け、該区画仕切り部材の前記ヒンジ側にヒンジ側収納空間、その反対側に前面側収納空間及び背面側収納空間を形成し、前記区画仕切り部材を左右仕切り板と前後仕切り板とによりほぼＴ字状に形成し、前記左右仕切り板を前記扉ポケットの左右方向の中央部近傍の前後方向に位置させて前記区画仕切り部材を前記扉ポケットに固定し、前記左右仕切り板のヒンジ側にヒンジ側収納空間を形成し、前記前後仕切り板の前面側に前面側収納空間を形成すると共に、背面側に背面側収納空間を形成したものである。
【発明の効果】
【００１０】
本発明によれば、扉ポケット内に区画仕切り部材により複数の収納空間を形成し、各収納空間にそれぞれ異なる収納物を収納するようにしたので収納効率がよく、また、扉の開閉時に遠心力により収納物が移動したり転倒したりすることのない冷蔵庫を得ることができる。
【図面の簡単な説明】
【００１１】
【図１】本発明の実施の形態１に係る冷蔵庫の扉の平断面図である。
【図２】図１の作用説明図である。
【図３】本発明の実施の形態２に係る冷蔵庫の扉の平断面図である。
【図４】本発明の実施の形態３に係る冷蔵庫の扉の平断面図である。
【図５】図４の作用説明図である。
【図６】一般的な家庭用冷蔵庫の扉を開いた状態を示す斜視図である。
【発明を実施するための形態】
【００１２】
［実施の形態１］
図１は本発明の実施の形態１に係る冷蔵庫の扉の平断面図で、図には最下部の扉を示してある。なお、以下の説明では、図の上部を前面側、下部を背面側という。
１０は冷蔵庫の扉で、前面側、上下及び左右を覆う前面パネル１１、背面側に一体に設けられた内板１２及び両者の間に充填された断熱材１３からなっている。そして、内板１２の背面側（内側）には、底板１６と周壁１７とからなる平面ほぼ逆台形状の扉ポケット１５が内板１２に嵌合されて一体に設けられており、扉１０はヒンジ１４により開口部を開閉自在に冷蔵庫本体に取付けられている。
【００１３】
２０は扉ポケット１５内に設けられた区画仕切り部材で、扉ポケット１５の左右方向（幅方向）の中央部近傍において、内板１２と直交して前後方向に配設された左右仕切り板２０ａと、この左右仕切り板２０ａの前後方向のほぼ中間部に取付けられて内板と平行に配設された前後仕切り板２０ｂとにより、ほぼＴ字状に形成されて扉ポケット１５に固定されている。
【００１４】
そして、図２に示すように、区画仕切り部材２０の左右仕切り板２０ａの左側（ヒンジ１４側）には、大形ペットボトル３０が縦置きに横方向に２本収納できる空間２５（以下、ヒンジ側収納空間という）が形成され、右側の前後仕切り板２０ｂの前面側（扉１０の内板１２側）には、例えば、牛乳パック３１が横方向に２個収納できる空間２６（以下、前面側収納空間という）が形成される。また、前後仕切り板２０ｂの背面側（扉１０の内板１２の反対側）の空間２７（以下、背面側収納空間という）には、背の低い小物などが整理性よく収納される。
【００１５】
本実施の形態によれば、冷蔵庫の扉ポケット１５に区画仕切り部材２０を設けて複数の収納空間を形成したので、これら収納空間に異なる種類の収納物を収納効率よく収納することができる。
また、扉ポケット１５への収納頻度が高く、かつ重量の大きい大形ペットボトル３０を２本、区画仕切り部材２０のヒンジ側収納空間２５、したがって、扉１０のヒンジ１４側に整頓されて収納することができるので、扉をスムーズに開閉することができる。
【００１６】
また、扉１０を開閉する際に発生する遠心力により、大形ペットボトル３０が移動したり転倒したりしようとするが、その移動や転倒は左右仕切り板２０ａの垂直面で受け止められるので、大形ペットボトル３０が移動したり転倒したりすることがなく、また、移動等により扉ポケット１５内の他の収納物が散乱したりすることがないため、安定して収納することができる。
【００１７】
さらに、扉ポケット１５への収納頻度の高い例えば牛乳パック３１を、前後仕切り板２０ｂの前面側に設けた前面側収納空間２６に収納するようにしたので、前後仕切り板２０ｂの垂直面がストッパとなり、扉１０の開閉時に発生する遠心力による牛乳パック３１の背面側への移動や転倒を防止することができる。
【００１８】
［実施の形態２］
図３は本発明の実施の形態２に係る冷蔵庫の扉の平断面図である。なお、実施の形態１と同じ部分には、これと同じ符号を付してある。
実施の形態１においては、扉ポケット１５内にＴ字状の区画仕切り部材２０を設けた場合を示したが、本実施の形態は、扉ポケット１５内にＬ字状の区画仕切り部材２１を設けたものである。
【００１９】
本実施の形態に係る扉ポケット１５の区画仕切り部材２１は、実施の形態１の場合と同様に、左右仕切り板２１ａによりヒンジ側収納空間２５と前面側収納空間２６との間を仕切り、前後仕切り板２１ｂにより前面側収納空間２６と背面側収納空間２７との間を仕切ってあるが、区画仕切り部材２１はＬ字状に形成されているため、ヒンジ側収納空間２５と背面側収納空間２７との間には仕切り板がなく、両者は連続している。
【００２０】
本実施の形態に係る扉ポケット１５の作用、効果は、実施の形態１の場合とほぼ同様であるが、ヒンジ側収納空間２５と背面側収納空間２７との間に仕切り板がなく、両者は連続しているので、ヒンジ側収納空間２５と背面側収納空間２７の使用の自由度を拡大することができる。
【００２１】
［実施の形態３］
図４は本発明の実施の形態３に係る冷蔵庫の扉の平断面図である。なお、実施の形態１と同じ部分には、これと同じ符号が付してある。
実施の形態１では、扉ポケット１５内にＴ字状の区画仕切り部材２０を設け、実施の形態２ではＬ字状の区画仕切り部材２１を設けた場合を示したが、本実施の形態は、扉ポケット１５内にＩ字状の区画仕切り部材２２を設けたものである。
【００２２】
本実施の形態においては、実施の形態１，２の区画仕切り部材２０，２１の前後仕切り板２０ｂ，２１ｂとほぼ同じ位置に、ほぼ同じ大きさのＩ字状の区画仕切り部材２２を、扉１０の内板１２とほぼ平行に設けたものである。そして、区画仕切り部材２２のヒンジ１４側にはヒンジ側収納空間２５を、反対側の区画仕切り部材２２の前面側には前面側収納空間２６を、その背面側には背面側収納空間２７をそれぞれ形成したものである。なお、本実施の形態は区画仕切り部材２２がＩ字状に形成されているため、ヒンジ側収納空間２５と前面側収納空間２６、ヒンジ側収納空間２５と背面側収納空間２７とは、それぞれ連続している。
【００２３】
本実施の形態の区画仕切り部材２２は、実施の形態１，２のように左右仕切り板がないので、ヒンジ側収納空間２５に収納した大形ペットボトル３０の横方向の側面が当接する垂直面は存在しない。しかし、Ｉ字状の区画仕切り部材２２のヒンジ側端縁部２２ａによる大形ペットボトル３０の点接触（又は線接触）機能が存在するので、ヒンジ側収納空間２５に２本の大形ペットボトル３０を収納した場合は、区画仕切り部材２２のヒンジ側端縁部２２ａにより、移動及び転倒防止効果を得ることができる。
【００２４】
また、前面側収納空間２６に例えば牛乳パック３１を収納した場合、左右方向のストッパ機能は低下するが、Ｉ字状の区画仕切り部材２２による前後方向のストッパ機能は存在する。
さらに、図５に示すように、ヒンジ側収納空間２５に２本の大形ペットボトル３０を収納した場合、又は１本の大形ペットボトル３０を区画仕切り部材２２のヒンジ側端縁部２２ａに当接して収納した場合は、前面側収納空間２６に収納した牛乳パック３１は、左右方向のストッパ機能も得ることができる。
【００２５】
本実施の形態の効果は実施の形態１の場合とほぼ同様であるが、区画仕切り部材２２をＩ字状に形成したので構造が簡単である。また、ヒンジ側収納空間２５と、前面側収納空間２６及び背面側収納空間２７とはそれぞれ連続しているので、扉ポケット１５の使用の自由度を拡大することができる。
【００２６】
上記の説明では、扉１０の左側をヒンジ１４により冷蔵庫本体に取付けた、いわゆる右開きの扉１０（冷蔵庫の正面側から見ると左側が開く又は右側に開く）の扉ポケット１５に本発明を実施した場合を示したが、扉１０の右側をヒンジ１４により冷蔵庫本体に取付けた、いわゆる左開きの扉１０（冷蔵庫の正面側から見ると右側が開く又は左側に開く）の扉ポケット１５にも本発明を実施することができる。ただし、この場合は、区画仕切り部材２０，２１，２２の取付位置、これによって形成されたヒンジ側収納空間２５、前面側収納空間２６及び背面側収納空間２７の位置が、左右逆になる。
【００２７】
また、扉１０に設けた複数の扉ポケットのうち、最下部の扉ポケットに本発明を実施した場合を示したが、これに限定するものではなく、任意の扉ポケット又はすべての扉ポケットに本発明を実施してもよい。なお、図６に従来の一般的な冷蔵庫を示したが、本発明を実施する冷蔵庫はこれに限定するものではなく、他の構造の冷蔵庫にも実施することができる。
【符号の説明】
【００２８】
１０  扉、１１  前面パネル、１２  内板、１４  ヒンジ、１５  扉ポケット、２０，２１，２２  区画仕切り部材、２０ａ，２１ａ  左右仕切り板、２０ｂ，２１ｂ  前後仕切り板、２２ａ  ヒンジ側端縁部、２５  ヒンジ側収納空間、２６  前面側収納空間、２７  背面側収納空間、３０  大形ペットボトル、３１  牛乳パック。
【図１】
0005404566.tif 000002
【図２】
0005404566.tif 000003
【図３】
0005404566.tif 000004
【図４】
0005404566.tif 000005
【図５】
0005404566.tif 000006
【図６】
0005404566.tif 000007